(57)【要約】【課題】極めて簡単な構造であり、小型化に適し、表示をいたづらによって変更される恐れが少なくなり、セグメントが脱落して紛失する恐れもないセグメント式表示器を提供する。【解決手段】複数のセグメント３０を組み合わせて表示するセグメント式表示器において、各セグメント３０をその対称軸線３２回りに回動可能に保持すると共にその表面が各セグメント３０の表裏のいずれかと同色である基板２４と、この基板２４をその裏面を密着させてセグメント３０の回動を規制しかつ着脱可能に保持する保持ケース１０と、を備える。【選択図】図３
2012098496.tif 000002
【特許請求の範囲】
【請求項１】
複数のセグメントを組み合わせて表示するセグメント式表示器において、
各セグメントをその対称軸線回りに回動可能に保持すると共にその表面が各セグメントの表裏のいずれかと同色である基板と、
この基板をその裏面を密着させて前記セグメントの回動を規制しかつ着脱可能に保持する保持ケースと、
を備えることを特徴とするセグメント式表示器。
【請求項２】
基板は、セグメントを収容する開口部と、セグメントの対称軸線に沿ってこの開口部を横断する支軸部とを有する請求項１のセグメント式表示器。
【請求項３】
各セグメントは、基板と異なる色のセグメント半体と、基板表面と同色のセグメント半体とを、基板の支軸部を挟んで接合したものである請求項２のセグメント式表示器。
【請求項４】
各セグメントは略長板形状であり、基板の支軸部は各セグメントの長手方向の中央付近を直交している請求項２のセグメント式表示器。
【請求項５】
保持ケースには、基板の収容部に近接して説明表示部が形成されている請求項１のセグメント式表示器。
【請求項６】
基板は、保持ケースにその厚さ方向に押し付けることによって基板および保持ケースのいずれかに設けた係合爪に係合させることにより固定されるようにした請求項１のセグメント式表示器。
【発明の詳細な説明】
【技術分野】
【０００１】
この発明は、複数のセグメントによって数字などを表示するセグメント式の表示器に関し、特に表示する数字などを簡単に変更できるようにした表示器に関するものである。
【背景技術】
【０００２】
７セグメントによって数字を表示するセグメント式表示器が広く知られている。この種の表示器は、数字や記号などの表示対象を複数の部分（セグメント）に分割し、この分割した部分（以下セグメントという。）を選択的に目視可能状態にすることによって特定の数字などを表現するものである。例えば商品の陳列棚に取り付けて価格などを表示する棚札に、液晶表示板などを用いた電子式の表示器が提案されている。しかしこのような電子式のものは、液晶表示板を制御するためのコンピュータなどの電気装置が必要であり、全体のシステムが複雑で操作に習熟するのが面倒であり、高価でもある。このため小規模な店舗では導入が困難である。
【先行技術文献】
【特許文献】
【０００３】
【特許文献１】特開平８−５４８３１
【特許文献２】特開昭５９−１００４８９
【特許文献３】実開昭５９−２２４９１
【０００４】
特許文献１には、セグメントの長さ方向の中央部で反転自在（回動自在）とし、各セグメントの一端部に磁石を有する吸着固定部を設けてセグメントが反転時に表裏いずれの状態でも基板に吸着して反転状態に保持するものが開示されている。
特許文献２には、セグメントを反転可能に保持し、このセグメントをその回転中心軸上に固定した永久磁石を電磁石の極性を変化させることによって反転させて数字の表示を行う磁気反転式の表示装置が開示されている。
【０００５】
特許文献３には、セグメントと、このセグメントを貼着する基板のうち一方を着磁体で形成し他方を磁性板によって形成して着脱自在としたものが開示されている。
【発明の概要】
【発明が解決しようとする課題】
【０００６】
特許文献１のものは各セグメントに磁石を用いるものであるから、各セグメントが大きくなり、またセグメントが反転（回動）するための空間を後方に設けておく必要があるから、ガソリンスタンドの価格表示板などの大型の表示板には適するとしても、マーケットなどの小売店で商品価格を表示するには大きすぎる。また簡単に表示を変更できるのでいたずらにより表示が変更される恐れが有る。
【０００７】
特許文献２のものはセグメントの背面に電磁石を配置しておく必要があるため、構造が複雑であり、表示装置が厚くなり、大型になる。特許文献３のものはセグメント自身を着磁体あるいは磁性板により形成するから、セグメントが剥がれやすく、剥がれ落ちるとこれを紛失しやすいという問題がある。
【０００８】
この発明はこのような事情に鑑みなされたものであり、極めて簡単な構造であり、小型化に適し、表示をいたずらによって変更される恐れが少なくなり、セグメントが脱落して紛失する恐れもないセグメント式表示器を提供することを目的とする。
【課題を解決するための手段】
【０００９】
この発明によればこの目的は、複数のセグメントを組み合わせて表示するセグメント式表示器において、各セグメントをその対称軸線回りに回動可能に保持すると共にその表面が各セグメントの表裏のいずれかと同色である基板と、この基板をその裏面を密着させて前記セグメントの回動を規制しかつ着脱可能に保持する保持ケースと、を備えることを特徴とするセグメント式表示器、により達成される。
【発明の効果】
【００１０】
この発明によれば、各セグメントをその対称軸線回りに回動自在（反転自在）となるように基板に保持し、セグメントを所定の数字などに表示する状態にした後でこの基板を保持ケースに保持し、基板の裏面を保持ケースに密着あるいは近接して対向させる（この状態をここでは単に密着とも言う）から、セグメントはこの時の表示状態で回動が規制される。このため表示内容を変更する時には基板を保持ケースから外してセグメントを回転し、新しい表示状態にして保持ケースに固定すれば良いから、セグメントを回転させる空間を基板の背面に設ける必要がなくなり、表示板を薄くして小型化が可能になる。また基板はその背面を保持ケースに密着させて固定されているので、セグメントはこの状態では回転できず、簡単にはいたずらにより表示を変更することができなくなる。さらにセグメントは基板に回動自在に保持されていて基板から分離できないから、セグメントが脱落して紛失する恐れもない。
【図面の簡単な説明】
【００１１】
【図１】本発明の一実施例の正面図である。
【図２】図１におけるII−II線断面図である。
【図３】基板に形成した開口部と支軸部を示す斜視図である。
【図４】図１におけるIV−IV線断面図である。
【図５】セグメントの分解斜視図である。
【発明を実施するための形態】
【００１２】
セグメントの数は数字を表示する場合は通常７であるが、本発明においては７に限定されない。記号をセグメントに分割して表示する場合は分割した数に対応するセグメント数になる。各セグメントを選択的に反転させるための対称軸線は、通常略長板形状のセグメントの長手方向の中央を幅方向に横断する直線であるが、セグメントの形状によっては長手方向と平行な直線であっても良い。またセグメントが正方形の場合はその中央を通りかつ辺に平行な直線や対角線が対称軸線となる。円形のセグメントでは対称軸線は中心を通る任意方向の直線とすることができる。
【００１３】
セグメントはその表と裏の一方を基板表面と同じ色とし、他の面を基板表面に対して目立つ色にすることにより、セグメントで表示する数字などを読みやすくすることができる。すなわちセグメントを基板表面と同じ色の面を表面にすれば、このセグメントは見にくくなり、この部分を隠すことができる。反対に他の面を表面にすればセグメントは見やすくなり、数字などを明瞭に読み取ることが可能になる。
【００１４】
基板には、セグメントを収容する開口部と、セグメントの対称軸線に沿ってこの開口部を横断する支軸部とを形成しておくことによって、セグメントをこの支軸部に反転可能に保持することができる（請求項２）。
【００１５】
各セグメントは、基板と異なる色のセグメント半体と、基板表面と同色のセグメント半体とを、基板の支軸部を挟んで接合したものとすることができる（請求項３）。セグメント半体の接合は、一方に形成した凸部を、他方に成形した凹部に圧入したり嵌合することによって行うことができる。この場合にはそれぞれのセグメント半体を樹脂で一体形成でき、特に対称形状のセグメントを有する場合にはセグメント半体の金型を共用でき、生産性が向上し、コストを下げることができる。各セグメントは通常略長板形状であるから、この場合には基板の支軸部は各セグメントの長手方向の中央付近を直交する位置にさせるのがよい（請求項４）。セグメントを回動（反転）させる時に操作性がよいからである。
【００１６】
保持ケースには、基板の収容部に近接して説明表示部を形成することができる（請求項５）。この場合には価格などの表示部分と商品の説明表示部分とが共通の保持ケースに近接して配置できるので便利である。
【００１７】
基板は、保持ケースにその厚さ方向に押し付けることによって基板および保持ケースのいずれかに設けた係合爪に係合させることにより固定されるようにするのがよい（請求項６）。基板には多数のセグメントが回動可能（反転可能）に取り付けられているので、これを所定の表示状態に回動させてもセグメントは固定されずに揺動しているから、基板を保持ケースに上方から押し付けるようにして保持すれば、不完全に回動したセグメントを保持ケースに当接させることによって正しい位置に回動させて固定することができるからである。
【実施例１】
【００１８】
図１、２、４において符号１０は四角形の保持ケースである。この保持ケース１０は、その中央付近を水平に横断する仕切り部１２によって上下に仕切られた説明表示部１４および基板収容部１６を有する。説明表示部１４は、図２、４に示すように、保持ケース１０の上縁に形成された幅方向のスリット１８に上方から挿入される二つ折りの透明板２０を保持ケース１０の前面に開く開口部１４ａから目視可能にしたものである。商品の説明書２２をこの透明板２０の間に挟んでスリット１８から挿入すれば、説明書２２を前面開口部１４ａから読み取ることができる。
【００１９】
基板収容部１６には基板２４が前面から着脱される。すなわち基板２４はその上縁２４ａを仕切り部１２に形成した凹溝１２ａに下方から係入して、その下縁を２４ｂを基板収容部１６に（保持ケース１０の厚さ方向に）押し付ける、この時保持ケース１０の下縁に設けた係合爪２６が、この下縁２４ｂに係合して基板２４を固定する。この実施例では基板２４には商品の価格を表示するので、保持ケース１０にはこの基板２４の表示の後方に価格の単位を示す「円」が表示されている（図１）。
【００２０】
基板２４には、商品の価格を表示する多数の数字を表示するセグメント３０が保持されている。すなわちそれぞれの数字は、７つのセグメント３０を選択的に目視可能な状態にすることによって、０から９までの数字を表現するものである。各桁の数字は同じ構造であるから、以下最下位の桁である１つの数字を示すセグメント３０ａ〜ｇの構成を説明する。
【００２１】
セグメント３０ａ〜ｇはそれぞれほぼ長板形状であり、それぞれがその長手方向の中心を直交する対称軸線３２を中心にして回動可能（反転可能）である。例えば図１において、右側の縦長のセグメント３０ａ、３０ｂの対称軸線３２は、セグメント３０ａ、３０ｂの長手方向の中心を通ってIV−IV線に直交している。
【００２２】
基板２４にはセグメント３０を収納する開口部３４が形成されている。すなわちこの開口部３４は、７個のセグメント３０ａ〜ｇが入るように基板２４を厚さ方向に横断している。開口部３４には、各セグメント３０の対称軸線３２上に位置する支軸部３６が形成されている。セグメント３０は、この支軸部３６に回動可能に保持されて、表裏を反転することができる。
【００２３】
セグメント３０は図５に示すように、一対のセグメント半体３８、４０を組み合わせて接合したものである。各セグメント半体３８、４０は色が異なる合成樹脂でそれぞれ一体形成されている。すなわち一方のセグメント半体３８は、基板２４の表面色と異なっていてできるだけ目視しやすい色とする。例えば基板２４の表面が黒である時にはセグメント半体３８は白とする。他方のセグメント半体４０は基板表面色と同じ色とする。この場合黒にする。
【００２４】
セグメント半体３８、４０の対向する面には、前記基板２４の支軸部３６を挟むための凹溝３８ａ、４０ａが形成され、この凹溝を挟んで両側に、それぞれ円柱状の凸部３８ｂ、４０ｂと、これらの凸部３８ｂ、４０ｂが圧入される凹孔を有する円筒部（凹部）３８ｃ、４０ｃとが一体に形成されている。すなわち、これらのセグメント半体３８、４０は、支軸部３６を凹溝３８ａ、４０ａで挟んで、一方の凸部３８ｂ、４０ｂを他方の円筒部３８ｃ、４０ｃに圧入することにより、基板２４の開口部３４に保持され収容される。
【００２５】
このようにして、各セグメント３０ａ〜ｇを基板２４の開口部３４の対応する位置に収容する。そして各桁の数字に対応して、一部のセグメント３０はセグメント半体３８側が表になるように、他のセグメント３０はセグメント半体４０側が表になるように回動する。セグメント半体３８が表になっている部分か目視可能となり、数字として読み取ることができる。数字を表示する必要がない桁は、全てのセグメント３０を裏にしてセグメント半体４０を表にする。
【００２６】
各桁の数字の設定が済むと、この基板２４を前記したようにして保持ケース１０の基板収容部１６に固定する。この結果各セグメント３０は、基板収容部１６ので保持ケース１０に当たってその回動が規制される。また基板２４を保持ケースから外した状態では各セグメント３０はその回動位置が不安定であるが、基板２４を保持ケース１０に固定する際に各セグメント３０の裏面が保持ケース１０に当たって基板２４と平行な位置に保持される。
【００２７】
数字を変更する時には、保持ケース１０の係合爪２６を下方に押して基板２４を基板収容部１６から取り外す。そして表示する数字に対応する所定のセグメント３０を回動（反転）させて所定の数字を表示する状態にして、基板収容部１６に固定すれば良い。
【符号の説明】
【００２８】
１０  保持ケース
１２  仕切り部
１４  説明表示部
１６  基板収容部
２２  説明書
２４  基板
２６  係合爪
３０  セグメント
３２  対称軸線
３４  開口部
３６  支軸軸
３８、４０  セグメント半体
３８ｂ、４０ｂ  凸部
３８ｃ、４０ｃ  円筒部（凹部）
【図１】
2012098496.tif 000003
【図２】
2012098496.tif 000004
【図３】
2012098496.tif 000005
【図４】
2012098496.tif 000006
【図５】
2012098496.tif 000007